(57)【特許請求の範囲】
【請求項１】
ベースフレームと、昇降可能なメインフレームと、前記メインフレーム上に配置されたマットレスと、  前記ベースフレームの両側部に取り付けられた一対のサイドガード体とを具備し、前記メインフレームを下降させたときに前記サイドガード体の上端が前記マットレスの上端以上の位置になり、前記メインフレームを上昇させたときに前記サイドガード体の上端が前記マットレスの上端以下の位置になることを特徴とする介護支援ベッド。
【請求項２】
ベースフレームと、昇降可能なメインフレームと、前記メインフレーム上に配置されたマットレスと、昇降可能な可動部を有し、前記ベースフレームまたはメインフレームの両側部に取り付けられた一対のサイドガード体とを具備し、前記サイドガード体を前記メインフレームの両側部に取り付けた場合は、前記サイドガード体の可動部を上昇させたときに該サイドガード体の上端が前記マットレスの上端以上の位置になり、前記サイドガード体の可動部を下降させたときに該サイドガード体の上端が前記マットレスの上端以下の位置になるとともに、前記サイドガード体を前記ベースフレームの両側部に取り付けた場合は、前記メインフレームを下降させたときに前記サイドガード体の上端が前記マットレスの上端以上の位置になり、前記メインフレームを上昇させたときに前記サイドガード体の上端が前記マットレスの上端以下の位置になることを特徴とする介護支援ベッド。
【請求項３】
メインフレームの上体側両側部に一対のサイドレールが取り付けられ、ベースフレームまたはメインフレームの脚側両側部に前記一対のサイドガード体が取り付けられていることを特徴とする請求項１または２に記載の介護支援ベッド。
【発明の詳細な説明】
【技術分野】
【０００１】
本発明は、要介護者を介護するための介護支援ベッドに関する。
【背景技術】
【０００２】
要介護者（以下、患者という）を介護するための介護支援ベッドとして、電動機構により患者の背上げ動作を行うものがある（例えば、特許文献１参照）。
【０００３】
【特許文献１】特開平７−１６２６３号公報
【発明の開示】
【発明が解決しようとする課題】
【０００４】
前述した介護支援ベッドは、電動機構により患者の背上げ動作を行うものであるが、この背上げ動作において患者の身体が前方に押し出される（前ずり）ために、患者の身体がベッドの側部にずれる。この状態で眠った場合、寝返りの際に患者がベッドから床に転落して、骨折等の事故が発生する。
【０００５】
上述したベッドからの患者の転落を防止するために、介護施設等ではベッドを柵（サイドレール）で囲んでいた。しかしながら、介護保険制度の改正により身体拘束、すなわち本人の意志でベッドから降りることができないようにすることが禁止され、ベッドを柵（サイドレール）で囲むことが禁止された。そのため、ベッドから転げ落ちる患者は、ベッドを使用せず、直接床にマットレスを敷いて寝かせている。この状態において、患者は、背上げ動作がないために寝たきりになることがある。また、介護する人は膝立姿勢で介護するので、身体への負担が大きい。
【０００６】
患者がベッドから転げ落ちる原因としては、背上げ動作を繰り返し行うことで身体の前ずりの量が大きくなり、その結果ベッドの側端近傍に位置して眠り、寝返りの際にベッドから転落することが最も多い。また、身体の一部に麻痺状態があるために、麻痺のない身体方向に移動することにより、ベッドから転げ落ちることもある。
【０００７】
本発明は、上述した事情に鑑みてなされたもので、患者の身体拘束を行うことなく、患者のベッドからの転落を防止することができる介護支援ベッドを提供することを目的とする。
【課題を解決するための手段】
【０００８】
本発明は、前記目的を達成するため、下記第１発明、第２発明の介護支援ベッドを提供する。
【００１０】
（第１発明）
ベースフレームと、昇降可能なメインフレームと、前記メインフレーム上に配置されたマットレスと、前記ベースフレームの両側部に取り付けられた一対のサイドガード体とを具備し、前記メインフレームを下降させたときに前記サイドガード体の上端が前記マットレスの上端以上の位置になり、前記メインフレームを上昇させたときに前記サイドガード体の上端が前記マットレスの上端以下の位置になることを特徴とする介護支援ベッド。
【００１１】
（第２発明）
ベースフレームと、昇降可能なメインフレームと、前記メインフレーム上に配置されたマットレスと、昇降可能な可動部を有し、前記ベースフレームまたはメインフレームの両側部に取り付けられた一対のサイドガード体とを具備し、前記サイドガード体を前記メインフレームの両側部に取り付けた場合は、前記サイドガード体の可動部を上昇させたときに該サイドガード体の上端が前記マットレスの上端以上の位置になり、前記サイドガード体の可動部を下降させたときに該サイドガード体の上端が前記マットレスの上端以下の位置になるとともに、前記サイドガード体を前記ベースフレームの両側部に取り付けた場合は、前記メインフレームを下降させたときに前記サイドガード体の上端が前記マットレスの上端以上の位置になり、前記メインフレームを上昇させたときに前記サイドガード体の上端が前記マットレスの上端以下の位置になることを特徴とする介護支援ベッド。
【００１３】
第１発明の介護支援ベッドは、メインフレームを下降させたときに両サイドガード体の上端がマットレスの上端以上の位置になるので、この状態で患者が眠ることにより、サイドガード体によって患者の転落が防止される。また、メインフレームを上昇させたときに両サイドガード体の上端がマットレスの上端以下の位置になるので、サイドガード体に邪魔されることなく、患者がベッドから床に降りたり、車いすに移動したりすることができる。
【００１４】
第２発明の介護支援ベッドは、サイドガード体をメインフレームの両側部に取り付けた場合は、サイドガード体の可動部を上昇させたときに両サイドガード体の上端がマットレスの上端以上の位置になるので、この状態で患者が眠ることにより、サイドガード体によって患者の転落が防止される。また、サイドガード体の可動部を下降させたときにサイドガード体の上端がマットレスの上端以下の位置になるので、サイドガード体に邪魔されることなく、患者がベッドから床に降りたり、車いすに移動したりすることができる。サイドガード体をベースフレームの両側部に取り付けた場合は、メインフレームを下降させたときに両サイドガード体の上端がマットレスの上端以上の位置になるので、この状態で患者が眠ることにより、サイドガード体によって患者の転落が防止される。また、メインフレームを上昇させたときに両サイドガード体の上端がマットレスの上端以下の位置になるので、サイドガード体に邪魔されることなく、患者がベッドから床に降りたり、車いすに移動したりすることができる。
【００１５】
第１、第２発明では、メインフレームの上体側両側部に一対のサイドレールが取り付けられ、ベースフレームまたはメインフレームの脚側両側部に前記一対のサイドガード体が取り付けられていることが好ましい。これにより、患者が眠っているときの患者の転落を確実に防止することができるとともに、患者が容易に脚側からベッドから降りたり、車いすに移動したりすることができる。
【発明の効果】
【００１６】
本発明の介護支援ベッドは、患者の身体拘束を行うことなく、患者のベッドからの転落を防止することができる。
【発明を実施するための最良の形態】
【００１７】
以下、図面を参照して本発明の実施の形態について説明するが、本発明は下記実施形態に限定されるものではない。
【００１８】
（第１実施形態）
図１〜図３は第２発明の一実施形態に係る介護支援ベッドを示すもので、図１はサイドガード体の可動部を上昇させた状態の概略正面図、図２はサイドガード体の可動部を下降させた状態の概略正面図、図３はサイドガード体の可動部を上昇させ、かつ後述する頭側ボードおよび脚側ボードを省略した状態の概略側面図である。
【００１９】
本例の介護支援ベッドにおいて、１０はベースフレーム、１２は電動式の昇降機構（図示せず）により昇降可能なメインフレーム、１４、１６、１８はそれぞれメインフレーム１２上に設置された背ボトム、腰ボトム、脚ボトム、２０はメインフレーム１２上に背ボトム１４、腰ボトム１６、脚ボトム１８を介して配置されたマットレス、２２はメインフレーム１２の上体側両側部に取り付けられたサイドレールコネクタ、２４はサイドレールコネクタ２２に着脱可能に取り付けられた柵状のサイドレール、２６はメインフレーム１２の脚側両側部に取り付けられたサイドガード体、２８、３０はそれぞれメインフレーム１２の長手方向両端部に取り付けられた頭側ボード、脚側ボードを示す。
【００２０】
サイドガード体２６は、図３、図４に示すように、上端に開口部３２が形成され、内部に空間部３４が形成された木製あるいは樹脂製のボード状のガード本体３６と、上記開口部３２から空間部３４内に下部が収納された木製あるいは樹脂製のボード状の可動部３８とを備えている。上記ガード本体３６は、メインフレーム１２の一部をなす伸縮可能な取り付けパイプ１３に固定されている。また、可動部３８の内側面には、シート状のポリウレタンフォームなどからなるクッション材３９が貼られている。さらに、上記空間部３４には、可動部３８を昇降させる昇降機構４０が配設されている。この昇降機構４０は、上端が可動部３８に固定された四角形の伸縮可能なジャッキ部４２と、ジャッキ部４２を伸縮させる回転バー４４と、回転バー４４を正転および逆転させる一対のギアモータ４６とからなる。昇降機構４０は、押しボタン方式のハンドスイッチの操作によって作動するようになっている。
【００２１】
背ボトム１４は、本発明者らによる特開２００５−３４８８１２、特開２００７−８２９１７に開示されているもので、幅方向両端側に互いに対向する一対の縦バー４８を有するフレーム５０と、上記一対の縦バー４８間にこの縦バー４８と直角に並列配置され、両端がそれぞれ縦バー４８に接続された引張応力を有する湾曲可能な複数の背上げ部材５２と、この背上げ部材５２の引張応力を調節する引張応力調節手段とを具備し、上記背上げ部材５２は、湾曲可能な帯状体の両端に引張応力を有する弾性体が取り付けられたものであり、上記引張応力調節手段は、上記弾性体による帯状体の引張強度を調節するものであるとともに、上記背上げ部材５２のそれぞれに取り付けられたものである。この背ボトム１４は、電動機構によりフレーム５０を回動させ、このフレーム５０内に並列配置された背上げ部材５２によって患者に背上げ圧迫力を加えるものである。この場合、本例の背ボトム１４は、引張応力調節手段によって背上げ部材５２の引張応力を調節することにより、患者に加わる背上げ圧迫力を調節することができ、前ずりの量を小さくすることができる。
【００２２】
本例の介護支援ベッドは、図１に示すように、昇降機構４０によりサイドガード体２６の可動部３８を上昇させたときに、両サイドガード体２６の可動部３８の上端がマットレス２０の上端より高い位置になるので、この状態で患者が眠ることにより、両サイドガード体２６によって患者の転落が防止される。この場合、両サイドガード体２６の可動部３８の上端は、マットレス２０の上端より１５〜２５ｃｍ程度高い位置にすることが適当である。
【００２３】
また、本例の介護支援ベッドは、図２に示すように、昇降機構４０によりサイドガード体２６の可動部３８を下降させ、可動部３８をガード本体３６の空間部３４内に収納したときに、両サイドガード体２６のガード本体３６の上端がマットレス２０の上端より低い位置になるので、サイドガード体２６に邪魔されることなく、患者がベッドから床に降りたり、ベッドから車いすに移動したりすることができる。なお、車いすに移動する際のベッドの高さは４３〜４５ｃｍが最適とされている。
【００２４】
（第２実施形態）
図５および図６は第１発明および第２発明の一実施形態に係る介護支援ベッドを示すもので、図１はメインフレームを下降させた状態の概略正面図、図６はメインフレームを上昇させた状態の概略正面図である。
【００２５】
本例の介護支援ベッドは、第１実施形態のサイドガード体２６を、可動部３８をガード本体３６の空間部３４内に収納した状態で取り外し、このサイドガード体２６を上下逆にしてベースフレーム１０に取り付けたものである。サイドガード体２６は、第１実施形態と同様に、ベースフレーム１０の一部をなす伸縮可能な取り付けパイプ（図示せず）に固定されている。上記の点以外は、本例の介護支援ベッドは第１実施形態の介護支援ベッドと同じであるので、図５および図６において、図１および図２と同一の構成部分には同一の参照符号を付してその説明を省略する。
【００２６】
本例の介護支援ベッドは、図５に示すように、昇降機構によりメインフレーム１２を下降させたときに、両サイドガード体２６の上端がマットレス２０の上端より高い位置になるので、この状態で患者が眠ることにより、両サイドガード体２６によって患者の転落が防止される。この場合、両サイドガード体２６の上端は、マットレス２０の上端より１５〜２５ｃｍ程度高い位置にすることが適当である。
【００２７】
また、本例の介護支援ベッドは、図６に示すように、昇降機構によりメインフレーム１２を上昇させたときに、両サイドガード体２６の上端がマットレス２０の上端より低い位置になるので、サイドガード体２６に邪魔されることなく、患者がベッドから床に降りたり、ベッドから車いすに移動したりすることができる。
【００２８】
なお、本発明は上記実施形態に限定されるものではなく、種々の変更が可能である。例えば、上記実施形態ではサイドガード体をボード状としたが、サイドガード体の材質、形状、構造に限定はなく、例えば柵状等としてもよい。また、第２実施形態では第１実施形態のサイドガード体を用いたが、他のサイドガード体を用いてもよい。
【図面の簡単な説明】
【００２９】
【図１】第１実施形態の介護支援ベッドの概略正面図である。
【図２】第１実施形態の介護支援ベッドの概略正面図である。
【図３】第１実施形態の介護支援ベッドの概略側面図である。
【図４】サイドガード体の概略正面図である。
【図５】第２実施形態の介護支援ベッドの概略正面図である。
【図６】第２実施形態の介護支援ベッドの概略正面図である。
【符号の説明】
【００３０】
１０  ベースフレーム
１２  メインフレーム
２０  マットレス
２４  サイドレール
２６  サイドガード体
３６  ガード本体
３８  可動部
４０  昇降機構
【図１】
0005057927.tif 000002
【図２】
0005057927.tif 000003
【図３】
0005057927.tif 000004
【図４】
0005057927.tif 000005
【図５】
0005057927.tif 000006
【図６】
0005057927.tif 000007